(57)【要約】【課題】  ドア等の枠材の取付において、狭い隙間での使用を主とし、１枚で使用できる簡易な構造で、現場にて容易に位置調整ができ、はみ出した余りの部分を指で折り取れるようにし、現場作業の効率化を図ることができるようにした位置調整具を提供する。【解決手段】  くさび形部材１１からなり、前記くさび形部材１１の両面にくさびの挿入方向と直交して平行に複数本の溝１２を有し、枠材１４と柱等１５との隙間に挿入して前記枠材１４の位置調整をした後、隙間に挟持されていない部分を折り取ることができる位置調整具とする。【選択図】図１
2009091833.tif 000002
【特許請求の範囲】
【請求項１】
ドア等の枠材の取付において使用される位置調整具であって、くさび形部材からなり、該くさび形部材の両面にくさびの挿入方向と直交して平行に複数本の溝を有し、前記枠材と柱等との隙間に挿入して前記枠材の位置調整をした後、隙間に挟持されていない部分を折り取ることができることを特徴とする枠材の位置調整具。
【請求項２】
前記くさび形部材の材質が合成樹脂であることを特徴とする請求項１に記載の枠材の位置調整具。
【請求項３】
前記くさび形部材の最も薄い部分の厚さを０．５〜２．０ｍｍとし、厚さの勾配を１〜３゜とすることを特徴とする請求項１又は２に記載の枠材の位置調整具。
【発明の詳細な説明】
【技術分野】
【０００１】
本発明は、ドア等の枠材を設置する際、枠材の位置を調整するために、枠材と柱等の隙間に挿入する位置調整具に関する。
【背景技術】
【０００２】
ドア等の枠材の設置は、コンクリート壁等に、枠材よりも少し広い開口部があって、その開口部に枠材を据え付けることにより行われる。そのとき、枠材の位置は、枠材と開口部を構成する柱等との隙間にくさび等の部材を挿入することにより調整される。
【０００３】
調整部材は、現場にある木材の端材などを利用することもあるが、適当な端材を入手するのは難しく、現場での作業が煩雑になるといった問題がある。そこで、特許文献１では、図４に示す調整片２１、４１を使って、現場での位置調整の作業を容易にする方法を提案している。
【特許文献１】特開２００６−２２６０８３
【０００４】
特許文献１に記載の隙間調整具２０は、それぞれ長手方向の一面が傾斜し、この一面を相互に当接させた状態では他面が相互に略平行となる略くさび状の第１及び第２調整片２１、４１からなる。そして第１及び第２調整片２１、４１を重ねたときの長手方向の位置を変更することにより、他面間の幅を調整可能としている。第１及び第２調整片２１、４１の斜面側には、これらの一面を相互に当接させた状態で噛み合う波状の係止部２２、４２を長手方向に渡って形成している。また、隙間調整後、隙間調整具２０の長さの余った部分を折り取ることができるような構成としたものもある。
【発明の開示】
【発明が解決しようとする課題】
【０００５】
特許文献１に記載の隙間調整具２０は、２つの調整片２１、４１を１組として使用するものであり、１つずつでは使用できない。また、調整可能な隙間の範囲は、１５ｍｍ〜２５ｍｍ程度である。ここで、図５に示すように、枠材１４と柱等１５との隙間が狭いところで隙間調整具２０を使用したとすると、枠材１４又は柱等１５と調整片２１、４１との間に隙間Ａが生じ、調整片２１、４１同士の係合も強固にはならない。つまり、調整片２１、４１の厚さＨよりも狭い隙間には、特許文献１に記載の隙間調整具２０の使用は、不向きであると考えられる。
【０００６】
また、特許文献１に記載の発明では、調整片２１、４１の柱等１５と枠材１４からはみ出した部分を、ノコギリを使用せずに折り取ることができるとしているが、調整片２１、４１の厚い側が余ると、この部分は１５ｍｍ程度の厚さがあるため、道具を使わずに折り取るのは、非常に困難であると考えられる。
【０００７】
そこで本発明は、斯かる実情に鑑み、狭い隙間での使用を主とした枠材の位置調整具であって、１枚で使用できる簡易な構造で、現場にて容易に位置調整ができ、位置調整具のはみ出した余りの部分を指で折り取れるようにし、現場作業の効率化を図ることができる位置調整具を提供することを目的としている。
【課題を解決するための手段】
【０００８】
本発明は、ドア等の枠材の取付において使用される位置調整具であって、くさび形部材からなり、前記くさび形部材の両面にくさびの挿入方向と直交して平行に複数本の溝を有し、前記枠材と柱等との隙間に挿入して前記枠材の位置調整をした後、隙間に挟持されていない部分を折り取ることができることを特徴としている。
【０００９】
ここで、くさび形部材の材質を合成樹脂としたり、くさび形部材の最も薄い部分の厚さが０．５〜２．０ｍｍで、厚さの勾配を１〜３゜に限定することができる。
【発明の効果】
【００１０】
本発明の位置調整具によれば、比較的隙間の狭いところでの枠材の位置調整において、くさび形部材を隙間に挿入するといった簡単な方法で枠材の位置調整ができるという優れた効果を奏し得る。そして、くさび形部材は１枚ずつ使用でき、その挿入も必要な箇所だけにすれば良く、現場での位置調整の作業は、効率的になる。
【００１１】
また、くさび形部材は表面に溝を有することから、柱等からはみ出し、隙間に挟持されていない部分を切除する際、両面にある溝を利用すれば、ノコギリ等の道具を必要とせず、指で簡単に折り取ることができるという効果も奏し得る。
【００１２】
さらに、くさび形部材の材質を合成樹脂とすることで、比較的安価に大量生産が可能となる。そして、木材の端材を用いたときとは違い、時間が経過してもくさびの形状が変化することはないので、長期間安定した状態を保つことができるという効果も奏し得る。
【発明を実施するための最良の形態】
【００１３】
以下、本発明の実施の形態を添付図面を参照して説明する。
【００１４】
まず、使用されるくさび形の位置調整部材１１を図１に示す。くさび形部材１１の形状は、長さが８０〜１２０ｍｍ程度、厚さは最も薄い先端部で０．５〜２．０ｍｍ程度で、厚さの勾配が１〜３゜程度である。これは、図４の隙間調整具２０と比べてかなり薄いものであり、使用方法も２つで１組ではなく、１枚ずつ隙間に挿入して使用するものである。また、材質は、経年変化を防止するために、合成樹脂にすると良い。合成樹脂であれば大量生産が可能であり、製作コストを下げることも可能である。
【００１５】
また、くさび形部材１１の両面に挿入方向に直交して平行に複数本の溝１２を設ける必要がある。溝１２は、くさび形部材１１の縦方向の断面で見ると、Ｖ字型になっている。この溝１２によって、隙間に挟持されない部分を道具を使わずに指で簡単に折り取ることができる。さらに、くさび形部材１１の最も薄い先端部の厚さを０．５〜２．０ｍｍとし、厚さの勾配を１〜３゜に限定すれば、その薄さによって、折り取りはより容易になる。
【００１６】
図２は、現場において、柱等１５と枠材１４の隙間にくさび形部材１１を挿入した例を図示したものである。くさび形部材１１を挿入する箇所については、特に決まりがないため、基本的にはバランス良く配置することになると考えられるが、柱等１５が真っ直ぐでない場合など、現場での状況に応じて、必要とされる箇所にくさび形部材１１を配置することができる。また、特許文献１に記載の隙間調整具２０では２つの調整片２１、４１を１組として使用していたが、本発明では、くさび形部材１１を１枚で使用するため、必ずしも挿入した裏面側にくさび形部材１１を配置する必要はない。
【００１７】
図３は、枠材１４と柱等１５の隙間にくさび形部材１１が挿入された状態を断面的に図示したものである。接着剤１３を表面に塗布したくさび形部材１１を枠材１４と柱等１５の隙間に挿入し、枠材１４の位置調整をした後、隙間に挟持されず柱等１５からはみ出した部分を折り取っている。
【００１８】
くさび形部材１１は、接着剤１３を塗布して隙間に挿入することで、接着剤１３によって固定され、ビス等による固定は不要となる。また、くさび形部材１１の両面に溝１２を有することで、この溝１２に接着剤１３が入り込み、くさび形部材１１と枠材１４や柱等１５との付着性が良くなると考えられる。ここで、くさび形部材１１は、先端に向かって薄くなっているので、くさび形部材１１を隙間に挿入したとき、先端付近は、隙間にぴったりと挟持されていないことになる。しかし、本発明に係る位置調整具は、狭い隙間で調整することを目的としたものなので、くさびそのものが薄く、くさび形部材１１の厚さの勾配は小さい。したがって、接着剤１３を表面に厚く塗布しておけば、くさび形部材１１の先端付近に生じる隙間は、接着剤１３により埋められ、特に問題は生じないと考えられる。
【００１９】
図６は、本発明に係るくさび形部材１１の端部付近に孔１６を設けた実施例である。孔１６に紐などを通すことで、数枚のくさび形部材１１をひとまとめに保管することができ、現場で部材が散乱し難いといった効果がある。
【００２０】
図７（ａ）は、本発明に係るくさび形部材１１の幅を広くした実施例である。図のように先端へ向かって幅を狭くすることもできる。図７（ｂ）は、幅の広いくさび形部材１１について、図６と同様に孔１６を設けた実施例である。当然、図１、図６又は図７に示した形状でなければならないというものではなく、用途に応じて、大きさや形状を変化させても良い。
【００２１】
なお、これらの実施例はドア枠等の位置調整を基本に考えているが、これら以外にも建築現場において隙間を埋めて位置を調整しなければならない箇所には、広く利用できるものである。
【図面の簡単な説明】
【００２２】
【図１】本発明に係るくさび形部材である。
【図２】本発明に係るくさび形部材を枠材の位置調整に使用した実施例である。
【図３】くさび形部材の隙間に挟持されていない部分を切除した状況図である。
【図４】従来の隙間調整具の調整片を示す図である。
【図５】従来の隙間調整具を狭い隙間に使用したときを示す図である。
【図６】本発明に係るくさび形部材に孔を設けた実施例である。
【図７】本発明に係るくさび形部材の幅を広くした実施例である。
【符号の説明】
【００２３】
１１      くさび形部材
１２      溝
１３      接着剤
１４      枠材
１５      柱等
２０      隙間調整具
【図１】
2009091833.tif 000003
【図２】
2009091833.tif 000004
【図３】
2009091833.tif 000005
【図４】
2009091833.tif 000006
【図５】
2009091833.tif 000007
【図６】
2009091833.tif 000008
【図７】
2009091833.tif 000009